(57)【要約】      （修正有）【課題】例えば折り畳み可能なテ−ブル天板に載置したパソコン等のＯＡ機器の給電に好適で、容易かつ安価に製作できるとともに、コンセント本体の回動角度を抑制して、配線スペ−スのコンパクト化と配線の捩れを防止し、配線の安全性を向上できるコンセントを提供する。【解決手段】コンセント取付枠１０４に形成した通孔１０５に臨ませて、コンセント本体６１を回動可能に設ける。  前記コンセント本体６１は、プラグ差込口６３ａまたはピンプラグ差込口６４ａを表出して取り付ける表面板６１ａと、該表面板６１ａに隣接して設けた上面板６１ｂとを備える。  常時は上面板６１ｂを介して前記通孔１０５を閉塞し、前記コンセント本体６１の回動操作を介して、前記差込口６３ａを通孔１０５から出没可能にする。  前記表面板６１ａの幅分、コンセント本体６１を回動可能にする。【選択図】  図１１
2006026429.tif 000002
【特許請求の範囲】
【請求項１】
コンセント取付枠に形成した通孔に臨ませてコンセント本体を回動可能に設け、前記コンセント本体は、プラグ差込口またはピンプラグ差込口を表出して取り付ける表面板と、該表面板に隣接して設けた上面板とを備え、常時は上面板を介して前記通孔を閉塞し、前記コンセント本体の回動操作を介して、前記差込口を通孔から出没可能にしたコンセントにおいて、前記表面板の長さ方向にプラグ差込口またはピンプラグ差込口を取り付け、該表面板の幅分、コンセント本体を回動可能にしたことを特徴とするコンセント。
【請求項２】
前記コンセント本体の回動操作を介して、前記表面板または上面板を水平に配置可能にした請求項１記載のコンセント。
【請求項３】
天板に形成したコンセント取付孔にコンセント本体を設置し、前記コンセント本体から導出した配線コ−ドを、天板直下の側方に開口したコ−ドプ−ルスペ―スに配線した請求項１記載のコンセント。
【発明の詳細な説明】
【技術分野】
【０００１】
本発明は、例えば折り畳み可能なテ−ブル天板に載置したパソコン等ＯＡ機器の給電に好適で、簡単な構成で容易かつ安価に製作できるとともに、小形軽量で設置スペ−スのコンパクト化を図れ、しかもコンセント本体の回動角度を抑制して、配線スペ−スのコンパクト化と配線の捩れを防止し、配線の安全性を向上できるコンセントに関する。
【背景技術】
【０００２】
近時のオフィス用テ−ブルには、プロジェクタ−やＡＶ機器等の使用が望まれているが、プロジェクタ−やＡＶ機器等を天板上に載置して使用すると、天板の使用スペ−スが阻害され、またＯＡ機器や書類等との接触トラブルが発生し、更には天板に大きな重量が掛かる等の問題がある。
このような問題を解決するものとして、天板の直下に吊下部材を介して載置部を設け、該載置部にプロジェクタ−を収納するようにしたものがある（例えば、特許文献１参照）
【０００３】
しかし、上記テ−ブルは、テ−ブルの上部に載置部を設け、該載置部をガスダンパから離間して配置しているため、プロジェクタ−を収容した際の重量バランスが悪く、安定性に欠ける問題があった。
【０００４】
そこで、前記問題を解決するものとして、プロジェクタ−をテ−ブル内部に収納するようにしたものがある（例えば、特許文献２参照）。
しかし、この従来のテ−ブルは、天板に複数の透孔を設け、これらの透孔にプロジェクタ−のブラウン管に接続する光ファイバ−を配線しているため、天板の使用が制限されるとともに、配線が猥雑になって体裁が悪く安全性にも問題があった。
【０００５】
ところで、従来のオフィス用キャビネットの中に、ワゴン収納スペ−スを設け、該収納スペ−スにファイルや書類を収納するワゴンを収容するようにしたものがあり、前記ワゴン収納スペ−ス内面の後面板に後部緩衝部材を取り付け、前記ワゴン収納スペ−ス内面の左右両側面に側部緩衝部材を取り付け、ワゴンの出入り時の擦過や損傷を防止し、ワゴンの出入りを円滑に行なうようにしたワゴン収納スペ−ス付きキャビネットがある（例えば、特許文献３参照）。
【０００６】
また、同種目的のものとして、キャビネットにワゴン収納空間を設け、該空間にファイルや書類を収納するワゴンを収容可能にし、前記ワゴン収納空間内面の下部に、左右フレ−ムと奥フレ−ムからなる誘導板を設け、前記奥フレ−ムの直前位置にワゴンのキャスタ−を係止可能なストッパを設け、ワゴンの収納を円滑に行なうようにしたワゴン収納キャビネットがある（例えば、特許文献４参照）。
【０００７】
しかし、これらのキャビネットは、ワゴン収納スペ−スを特設する必要があり、またワゴン収納後、これらが振動等によって動揺したり移動する惧れがあった。
また、前記キャビネットは、後部緩衝部材や側部緩衝部材の多部品を要し、または複雑な誘導板を要して、構成が複雑で製作に手間が掛かり、高価になる等の問題があった。
しかも、これらのキャビネットは定位置に設置されているため、その移動が難しく、また移動時にはワゴン収納スペ−スからワゴンをいちいち引き出す面倒があって、フロアの配置換えに速やかに応じられない、という問題があった。
【０００８】
一方、テ−ブルの利便性を向上するものとして、箱体の側端面上部に折天板を上下方向に回動可能に設け、また箱体の前部側に左右一対の開戸を水平方向へ回動可能に設け、前記折天板と開戸を常時は折り畳み、折天板の使用時に前記開戸を左右に開回動し、折天板の下面を開戸の上端部に係合して、折天板の使用状態を保持し、ワゴンの上面スペ−スを拡縮可能にした販売用ワゴンがある（例えば、特許文献５参照）。
【０００９】
しかし、前記販売用ワゴンは、折天板の係合部に開戸の上端部に係合して、折天板の使用状態を保持しているため、折天板の係合部と開戸との係合に不安があり、折天板の使用に安定性や安全性を欠く嫌いがあった。
【００１０】
【特許文献１】特開２００２−２７２５３９号公報
【特許文献２】特開平６−９８４４２号公報
【特許文献３】特開２００１−１２８７５７号公報
【特許文献４】特開２０００−２１７６５２号公報
【特許文献５】特開２０００−１７５７８６号公報
【発明の開示】
【発明が解決しようとする課題】
【００１１】
本発明はこのような問題を解決し、例えば折り畳み可能なテ−ブル天板に載置したパソコン等ＯＡ機器の給電に好適で、簡単な構成で容易かつ安価に製作できるとともに、小形軽量で設置スペ−スのコンパクト化を図れ、しかもコンセント本体の回動角度を抑制して、配線スペ−スのコンパクト化と配線の捩れを防止し、配線の安全性を向上できるコンセントを提供することを目的とする。
【課題を解決するための手段】
【００１２】
このため、請求項１の発明は、コンセント取付枠に形成した通孔に臨ませてコンセント本体を回動可能に設け、前記コンセント本体は、プラグ差込口またはピンプラグ差込口を表出して取り付ける表面板と、該表面板に隣接して設けた上面板とを備え、常時は上面板を介して前記通孔を閉塞し、前記コンセント本体の回動操作を介して、前記差込口を通孔から出没可能にしたコンセントにおいて、前記表面板の長さ方向にプラグ差込口またはピンプラグ差込口を取り付け、該表面板の幅分、コンセント本体を回動可能にし、簡単な構成で容易かつ安価に製作できるとともに、小形軽量で設置スペ−スのコンパクト化を図れ、しかもコンセント本体の回動角度を抑制することによって、配線スペ−スのコンパクト化と配線の捩れを防止し、配線の安全性を向上するようにしている。
【００１３】
請求項２の発明は、前記コンセント本体の回動操作を介して、前記表面板または上面板を水平に配置可能にし、コンセントの突出を阻止して体裁を改善するとともに、整然とした配線を促し、テ−ブル天板または床面の設置に好適にしている。
請求項３の発明は、天板に形成したコンセント取付孔にコンセント本体を設置し、前記コンセント本体から導出した配線コ−ドを、天板直下の側方に開口したコ−ドプ−ルスペ―スに配線し、天板上に載置したパソコン等のＯＡ機器の給電を合理的に行なうようにしている。
【発明の効果】
【００１４】
請求項１の発明は、表面板の長さ方向にプラグ差込口またはピンプラグ差込口を取り付け、該表面板の幅分、コンセント本体を回動可能にしたから、簡単な構成で容易かつ安価に製作できるとともに、小形軽量で設置スペ−スのコンパクト化を図れ、しかもコンセント本体の回動角度を抑制できるから、配線スペ−スのコンパクト化と配線の捩れを防止し、配線の安全性を向上することができる。
請求項２の発明は、前記コンセント本体の回動操作を介して、前記表面板または上面板を水平に配置可能にしたから、コンセントの突出を阻止して体裁を改善するとともに、整然とした配線を促し、テ−ブル天板または床面の設置に好適な効果がある。
請求項３の発明は、天板に形成したコンセント取付孔にコンセント本体を設置したから、前記コンセント本体から導出した配線コ−ドを、天板直下の側方に開口したコ−ドプ−ルスペ―スに配線し、天板上に載置したパソコン等のＯＡ機器の給電を合理的に行なうことができる。
【発明を実施するための最良の形態】
【００１５】
以下、本発明を会議用テ−ブルの天板に載置したパソコン等ＯＡ機器の給電に適用した図示の実施形態について説明すると、図１乃至図１３において１は移動可能なメインテ−ブルで、後述するコンセントの取付部材である天板２は、両端に円弧状部２ａを形成した略横長矩形をしていて、該天板２の下面の長さ方向に、楕円管状の一対の補強枠３，３を平行に固定している。
【００１６】
前記補強枠３，３の両端部に、各一対の円管製の脚４，５が連結金具（図示略）とビスを介して取り付けられ、該脚４，５の下端にキャスタ−６が取り付けられ、床面７を走行可能にされている。
前記補強脚４，４および５，５間の上下位置、および補強脚４，５間の下部に、補強枠３，３と同一部材の架設枠８，９および１０が取り付けられ、これら補強枠３と脚４，５と架設枠１０の外面に、横長矩形の外装パネル１１をビス止めしてメインテ−ブル１の両側面を区画して、天板２の下部に外部、つまり側方に開放した略横長箱形の収納スペ−ス１２を形成している。
【００１７】
前記収納スペ−ス１２の一側に一対のガイドレ−ル（図示略）が設けられ、該ガイドレ−ルに架台１３が摺動可能に装着され、該パネル１３上に被収納物であるプロジェクタ−１４を内外方向へ移動可能にし、テ−ブル外に設置するスクリ−ン（図示略）に対し、近接離反調整可能にしている。
【００１８】
１５は架台１３の適所に選択的に装着したストッパで、プロジェクタ−１４の後部を掛け止め可能に配置され、１６は架台１３に移動可能に収容したプロジェクタ−１４の載置台で、プロジェクタ−１４を上向きに設置可能にしている。１７は架台１３の把手、１８は外装パネル１１に形成した通気口である。
【００１９】
前記収納スペ−ス１２の他側に複数の棚板１９が水平に固定され、該棚板１９は架台１３より若干大形に形成され、これらの棚板１９上にファイルや書類等を収容可能にしており、これらの脱落を棚板１９の奥部に装着したストッパ２０で防止可能にしている。
【００２０】
前記外装パネル１１の中央部に、一対のＬ形金具２１，２２が上下に対向して取り付けられ、該金具２１，２２に円筒軸受２３，２４が溶接されていて、該軸受２３，２４の間に支軸６６，６７が回動可能に支持されている。
前記支軸６６，６７の上下位置に、各一対の支持枠２５，２６の一端が固定され、その他端に可動脚２７，２８が固定されていて、該可動脚２７，２８が支軸６６，６７を中心に略９０度旋回可能にされている。
図中、２９，３０は前記可動脚２７，２８の下端に取り付けたキャスタ−で、床面７上を走行可能にされている。
【００２１】
前記可動脚２７，２８は、補助天板３１，３２の折り畳み時は、収納スペ−ス１２に沿って折り畳まれて天板２の直下に位置し、補助天板３１，３２の使用時は、外側へ略９０度旋回動し、当該位置をロック機構３３，３４を介して保持可能にしている。
【００２２】
前記補助天板３１，３２は実質的に同一に構成され、これらは天板２と同質の板体によって略弓形に形成され、その円弧状部３１ａ，３２ａが前記円弧状部２ａと同一の曲率に形成されている。したがって、補助天板３１，３２の使用時は、図４のようにテ−ブル１は略円形の載置面を形成する。
また、弦部に相当する接合部３１ｂ，３２ｂは、天板２の側端部と略同長に形成され、前記側端部に蝶番３５，３６を介して、上下方向に回動可能に連結されている。
【００２３】
この場合、折り畳み後の補助天板３１，３２の表面は、図３のように天板２の側端部と段差を形成しない連続的な垂直面に配置することが望ましく、そのような蝶番３５，３６を使用することで、補助天板３１，３２を折り畳んだメインテ−ブル１同士を密接して配置でき、メインテ−ブル１の設置スペ−スのコンパクト化と、天板の実質的な拡幅を図れる。
【００２４】
前記ロック機構３３，３４は実質的に同一に構成され、これらは補助天板３１，３２の外周部中央の下面に設置され、これを補助天板３２に設けたロック機構３４を基に説明すると、図５乃至図８のようにロック機構３４は、略Ｈ字形状の補強金具３７を備え、その四隅のビス孔３８にビス３９を挿入し、これを補助天板３２にねじ込んで取り付けられている。
図中、４０，４１は補強金具３７の略中央と一側端部位置に形成したビス孔で、これらのビス孔４０，４１にビス４２，４３がねじ込まれている。
【００２５】
前記補強金具３７とビス４２，４３の間に、互いに嵌合可能なインナ−カラ−４４，４６と、該カラ−４４，４６より短小で大径のアウタ−カラ−４５，４７とが介挿され、前記ビス４２，４３の頭部とアウタ−カラ−４５，４７との間に、鋼板製のロックレバ−４８が回動可能に枢着されている。
【００２６】
前記ロックレバ−４８は横長の板体に形成され、後述のロックカラ−と同高の水平面上を回動可能に配置されていて、その略中央に前記インナ−カラ−４４を挿入可能な枢支孔４９が形成され、前記カラ−４４に前記ビス４２を挿入して、ロックレバ−４８を回動自在に枢着している。
【００２７】
前記ロックレバ−４８の一側端部に円弧状の長孔５０が形成され、該孔５０に前記インナ−カラ−４６が挿入され、該カラ−４６に前記ビス４３を挿入して、前記ロックレバ−４８を一定角度揺動可能に取り付けている。
図中、５１は前記アウタ−カラ−４５に装着したロックスプリングで、その一端をロックレバ−４８の側端部に掛け止め、他端を前記アウタ−カラ−４７に掛け止め、その弾性を介して前記ロックレバ−４８を、アウタ−カラ−４５を中心に図５上時計方向へ回動可能に付勢している。
【００２８】
前記ロックレバ−４８の他側端部に、後述のロックカラ−に係脱可能な係合溝５２が形成され、該溝５２の近接位置に係止片５３が屈曲形成され、該係止片５３が前記可動脚２８の上端部に係合可能に配置されている。
前記可動脚２８の上端部にアジャスタ−受５４が打ち込まれ、該アジャスタ−受５４のネジ孔に５５に、ロックカラ−５６を介してアジャスタ−５７の螺軸５８がねじ込まれている。
【００２９】
前記ロックカラ−５６は図５および図７のように、アジャスタ−受５４とアジャスタ−５７との間に介挿され、可動脚２８が係合溝５２の回動域に移動した際、前記係合溝５２と係合可能にされ、可動脚２８による補助天板５２の支持状態をロック可能にしている。
前記アジャスタ−５７は頭部に平坦な係合面５７ａを備え、アジャスタ−受５４に対する螺軸５８のねじ込み量を調節することで、前記係合面５７ａの高さ調整を可能にし、該係合面５７ａを補強金具３７の下面に密着可能にしている。
【００３０】
一方、前記天板２の少なくとも一側にコンセント取付孔５９が形成され、該取付孔５９の開口部にコンセント取付枠１０４が取り付けられている。前記コンセント取付枠１０４の内側に矩形の通孔１０５が形成され、該通孔１０５の内側にコンセント６０が出没かつ回動可能に取り付けられている。
前記コンセント６０は中空三角柱状のコンセント本体６１を備え、その基端側の枢着部６２をコンセント取付枠１０４の開口縁に配置し、該枢着部６２を中心に上下方向へ回動可能に取り付けられている。
【００３１】
前記コンセント本体６１は、細長矩形の表面板６１ａと上面板６１ｂとを略直角に連結し、その両側端部に略三角形の側板６１ｃを接続して形成されている。
このうち、前記表面板６１ａに矩形の異形のプラグ取付孔１０７,１０８が横一列に形成され、該取付孔１０７,１０８に内側からプラグ６３およびピンプラグ６４が挿入され、その差込口６３ａ,６４ａを外側に表出し、かつその前端部を前記表面板６１ａに固定している。
【００３２】
前記プラグ６３およびピンプラグ６４の後端部から配線コ−ド（図示略）が引き出され、該配線コ−ドをコンセント取付孔５９から収納スペ−ス１２内へ導き、これを架台１３と棚板１９との間のコ−ドプ−ルスペ−ス６５に収容して、電源に接続している。        前記上面板６１ｂは前記通孔１０５を閉塞可能な矩形に形成され、天板２の使用時は天板２の表面と略同高面に位置付けられ、また前記側板６１ｃは表面板６１ａと上面板６１ｂを二辺とする略直角三角形に形成されている。
【００３３】
前記コンセント本体６１は、その前縁部を保持して枢着部６２を中心に回動可能にされ、表面板６１ａを天板２上に突出可能にするとともに、コンセント取付孔５９の対向位置に設けたストッパ（図示略）を介して、前記ボックス６１の突出状態を保持可能にされている。
図中、６６はコンセント取付孔５９の直下に設けたストッパであるマグネットキャッチで、コンセント本体６１の下面を吸着可能にされ、コンセント本体６１の没入状態を保持可能にしている。
【００３４】
このように構成した本発明のコンセント６０は、大別するとコンセント取付枠１０４とコンセント本体６１とで構成され、これらは鋼板またはアルミニウム板をプレス成形して製作され、これらは従来のものに比べ、構成が簡単で部品点数が少ないから、これを容易かつ安価に製作できる。
しかも、コンセント本体６１にプラグ差込口６３ａまたはピンプラグ差込口６４ａを長さ方向に配置した表面板６１ａを設けているから、該表面板６１ａの幅分、コンセント本体６１を回動可能にし、簡単な構成で容易かつ安価に製作できるとともに、小形軽量で設置スペ−スのコンパクト化を図れ、しかもコンセント本体６１の回動角度を抑制して、配線スペ−スのコンパクト化と配線の捩れを防止し、配線の安全性を向上できる。
【００３５】
次に、コンセント６０の取り付けに際しては、天板２に形成したコンセント取付孔５９にコンセント取付枠１０４を取り付け、該コンセント取付枠１０４の通孔１０５の一端部に枢着部６２を取り付け、該枢着部６２にコンセント本体６１の基端部を回動可能に連結する。
前記コンセント本体６１の表面板６１ａには、異形のプラグ取付孔１０７,１０８が横一列に形成され、該取付孔１０７,１０８に内側からプラグ６３およびピンプラグ６４を挿入し、その差込口６３ａ,６４ａを外側に表出し、かつその前端部を前記表面板６１ａの裏面にビスまたは嵌着して固定する。
【００３６】
そして、前記プラグ６３およびピンプラグ６４の後端部から配線コ−ド（図示略）が引き出し、これをコンセント取付孔５９から収納スペ−ス１２内へ導き、これを架台１３と棚板１９との間のコ−ドプ−ルスペ−ス６５に収容して、電源に接続する。したがって、前記配線コ−ドは天板２上に表出せず、テ−ブルの内部に整然と配線される。
【００３７】
一方、前記コンセント６０を適用した会議用テ−ブルは、メインテ−ブル１と、補助天板３１，３２と、ロック機構３３，３４の製作を要する。
このうち、メインテ−ブル１は、横長矩形の天板２の直下に補強枠３，３を取り付け、該補強枠３，３を介して、その両端部に脚４,５を取り付け、該脚４,５の下端部に架設枠９，１０を取り付け、上下一対の補強枠３と架設枠１０、および左右の脚４,５の外面に外装パネル１１を取り付け、天板２の直下に横長箱形の収納スペ−ス１２を区画形成する
この場合、前記収納スペ−ス１２は実質上、メインテ−ブル１の下部スペ−スをそのまま利用するものであるから、その有効利用を図れる。
【００３８】
そして、前記収納スペ−ス１２の一側の中高位置に、把手１７を備えた架台１３を摺動可能に取り付け、該パネル１３にストッパ１５を抜き差し可能な複数の透孔を形成する。前記架台１３に載置台１６を収容し、該台１６にプロジェクタ−１４を載置可能にする。また、前記収納スペ−ス１２の他側に複数の棚板１９を取り付ける。
【００３９】
前記補助天板３１，３２は、天板２と同質の板体を略弓形に形成し、その円弧状部３１ａ，３２ａを天板２の円弧状部２ａと同一の曲率に形成し、その弦部の接合部３１ｂ，３２ｂの長さを、天板２の対向端部と略同長に形成し、天板２と共同して円形のテ−ブル面を形成可能に製作する。
そして、天板２の対向端部に複数の蝶番３５，３５を取り付け、該蝶番３５，３５を介して、補助天板３１，３２を回動可能に取り付ける。
その際、天板２の対向端部と、折り畳み後の補助天板３１，３２の載置面とが、連続する垂直面となるような蝶番３５，３５を採用することが望ましい。
【００４０】
一方、前記外装パネル１１の中央に、一対のＬ形金具２１，２２を上下に対向して位置付け、これらにビスを挿入し、該ビスを前記補強枠３または架設枠１０にねじ込んで、Ｌ形金具２１，２２を取り付ける。
前記Ｌ形金具２１，２２に円筒軸受２３，２４を予め溶接し、該軸受２３，２４の間に支軸６７，６８を回動可能に支持する。
前記支軸６７，６８に上下一対の支持枠２５，２６を取り付け、その他端にキャスタ−２９，３０を装着した可動脚２７，２８を取り付ける。
【００４１】
前記可動脚２７，２８の上端にアジャスタ−受５４を打ち込んで取り付け、該アジャスタ−受５４上にロックカラ−５６を載せ、該カラ−５６にアジャスタ−５７の螺軸５８を挿入し、これをアジャスタ−受５４のネジ孔５５にねじ込んで、これらを一体に取り付ける。
【００４２】
また、前記ロック機構３３，３４を構成する補強金具３７を、補助天板３１，３２の外周部下面にビス止めし、該金具３７のビス孔４０，４１直下に、アウタ−カラ−４５，４７を嵌合したインナ−カラ−４４，４６を位置付け、該カラ−４４，４６をロックレバ−４８の枢支孔４９と長孔５０に挿入する。
そして、前記カラ−４４，４６の下端にビス４２，４８を挿入し、これを前記ビス孔４０，４１を介して補助天板３１，３２にねじ込み、前記カラ−４４〜４６とロックレバ−４８を一体に取り付ける。
【００４３】
前記アウタ−カラ−４５にロックスプリング５１を予め装着し、その一端をロックレバ−４８の端部に掛け止め、他端をアウタ−カラ−４７に掛け止め、その弾性を介してロックレバ−４８を、アウタ−カラ−４５を中心に図５上時計方向へ回動可能に付勢する。
したがって、補助天板３１，３２の折り畳み時は、ロックレバ−４８は図５の実線位置より時計方向へ回動し、係合溝５２が補助天板３１，３２の内側に位置している。
【００４４】
また、天板２の一側に設けたコンセント取付孔５９に、複数のプラグ差込口６３とピンプラグ差込口６４を備えたコンセント本体６１を回動可能に埋設し、その配線コ−ドを収納スペ−ス１２のコ−ドプ−ルスペ−ス６５に収容し、これらを電源に接続可能にする。
また、コンセント取付孔５９の直下にマグネットキャッチ６５を取り付け、コンセント６０の没入時にコンセント本体６１を吸着し、前記没入状態を保持可能にする。
【００４５】
次に実施形態に適用した会議用テ−ブルを使用する場合は、これを所定位置へ移動し、その使用目的や使用員数によって、補助天板３１，３２の一方または双方を展開して使用する。
補助天板３１，３２を展開する場合は、蝶番３６，３６を中心に補助天板３１，３２を上向きに回動し、当該状態を保持しながら可動脚２７，２８を保持し、これを支軸６７，６８を中心に外側へ回動する。
【００４６】
そして、支軸６７，６８を略９０度近く回動し、同軸上のロックカラ−５６，５６を係合溝５２，５２に係合し、更に支軸６７，６８をロックスプリング５１の弾性に抗して同方向へ回動し、可動脚２７，２８の上端部を係合溝５２，５２に十分に係７させて、可動脚２７，２８とをロックカラ−５６，５６との係合状態をロックさせる。
【００４７】
前記ロック後、補強金具３７とロックレバ−４８の間に手指を差し込み、アジャスタ−５７の頭部を保持して突出方向へ回動し、係合面５７ａを補強金具３７の下面に密着かつ係合させて、係合面５７ａを介し補助天板３１，３２を安定して支持する。
【００４８】
したがって、例えば可動脚２７，２８の下端のキャスタ−２９，３０が、床面７の凹部に落ち込み、補助天板３１，３２と係合面５７ａとの間にガタや隙間が形成されても、前記アジャスタ−５７の回動操作によって補助天板３１，３２を安定して支持し得る。
この場合、アジャスタ−５７の頭部周面をロ−レット加工し、または適宜形状に形成して、工具と係合可能に形成することが望ましい。
【００４９】
このようにして補助天板３１，３２の双方を展開した使用状況は図４のようで、メインテ−ブル１の両側に補助天板３１，３２が展開し、テ−ブル上面が円形に形成されて拡幅されるから、該テ−ブル上面を取り囲む使用に応じられる。
【００５０】
一方、補助天板３１，３２の一方を展開した使用状況は図２のようで、メインテ−ブル１の片側に補助天板３２が展開し、他方の補助天板３１が折り畳まれる。
前記補助天板３１を折り畳む場合は、ロックレバ−４８の係止片５３を保持し、これをロックスプリング５１の弾性に抗して外側へ引く。
このようにすると、ロックレバ−４８がインナ−カラ−４４を中心に図５上反時計方向へ回動し、係合溝５２がロックカラ−５６から離間して、それらの係合を解除する。
【００５１】
そこで、前述の係合解除状態の下で補助天板３１を保持しながら、可動脚２８を図５の矢視方向へ押し動かし、該可動脚２８と一対の支持枠２６を支軸６７を中心に復帰回動させて、外装パネル１１に沿わせて位置付ける。
この後、蝶番３６，３６を介して補助天板３１を下方へ回動して折り畳み、これを前記可動脚２８と支持枠２６，２６の外側に位置付ける。
したがって、可動脚２８と支持枠２６，２６は補助天板３１に係合可能に近接し、その動揺や飛び出しを阻止される。
【００５２】
こうして、一方の補助天板３１が折り畳まれると、図２のようにテ−ブル上面が略半円形に形成される。
したがって、メインテ−ブル１のみの使用に比べて、テ−ブル上面が拡幅され、また補助天板３１，３２の双方を展開した場合に比べて縮小され、テ−ブル上面の使用と設置スペ−スのコンパクト化の双方を調整した使用を図れる。
【００５３】
そこで、このような使用状況のテ−ブルを二台用意し、折り畳んだ補助天板３１，３２の端面同士を突き合わせて配置すると、天板２，２の端面が段差無く密着し、テ−ブル上面の広い利用を得られるとともに、折り畳んだ補助天板３１，３２の端面同士が係合して、補助天板３１，３２の動揺や突出が阻止される。この状況は図１２のようである。
【００５４】
一方、補助天板３１，３２の双方を折り畳むと、各可動脚２７，２８と支持枠２５,２６が、外装パネル１１,１１の外面に沿って対称に折り畳まれ、その外側に補助天板３１，３２が折り畳まれて垂れ下がっている。
したがって、テ−ブル上面がメインテ−ブル１の天板２のみの使用になって、テ−ブル上面が最小面積に形成され、テ−ブル使用とその設置スペ−スのコンパクト化を図れる。
【００５５】
そこで、このような使用状況のテ−ブルを二台用意し、折り畳んだ補助天板３１，３２の端面同士を突き合わせて配置すると、天板２，２の端面が段差無く密着し、通常の会議用テ−ブルを突き合わせたと同様な使用を得られるとともに、折り畳んだ補助天板３１，３２の端面同士が係合して、補助天板３１，３２の動揺や突出が阻止される。この状況は図１３のようである。
【００５６】
このような種々のテ−ブルの設置状況において、種々の使用を図れる。
例えば、収納スペ−ス１２の一側に架台１３を取り付け、該パネル１３上に載置台１６を載せ、該台１６上にプロジェクタ−１４を収容して、プロジェクタ−１４の使用を図れる。
すなわち、テ−パ状の載置台１６上にプロジェクタ−１４を収容することで、プロジェクタ−１４からの映像光を上向きに設定し、スクリ−ン（図示略）の所定位置に映像を形成することができる。また、その際架台１３を前後方向へ移動することで、スクリ−ン（図示略）の映像を適切に調整し得る。
【００５７】
また、収納スペ−ス１２の他側に多段に設けた棚板１９にファイルや書類を収容し得、更に天板２や補助天板３１，３２上にパソコン等のＯＡ機器を載置し、それらの使用を図れる。その際のＯＡ機器に対する電源確保は、コンセント６０によって行なう。
【００５８】
すなわち、前記コンセント６０は常時は図９のように天板２の内側に没入し、コンセント本体６１の下面をマグネットキャッチ６６が吸着して、前記没入状態を維持する。
その際、コンセント本体６１の上面板６１ｂが、図９のように天板２と同高面上に表出して通孔１０５を閉塞し、天板２の使用を促す。
一方、ＯＡ機器を使用する場合は、前記上面板６１ｂの前縁部を保持して引き上げ、コンセント本体６１を枢着部６２を支点に上向きに回動させ、表面板６１ａを天板２から突出させて、コンセント６０を天板２上に突出させ、この突出状態を適宜ストッパで保持する。この状況は図１１のようである。
【００５９】
そして、コンセント６０に表出したプラグ差込口６３や、ピンプラグ差込口６４にＯＡ機器の電源プラグを差し込むことで、ＯＡ機器の速やかな使用を図れ、天板２上には前記ＯＡ機器の電源コ−ドが整然と配線されるから体裁が良く、配線のトラブル防止と事務能率の向上を図れる。
この場合、コンセント６０に対する配線は、コンセント取付孔５９からコ−ドプ−ルスペ−ス６５へ導かれ、またプロジェクタ−１４の電源コ−ドはコ−ドプ−ルスペ−ス６５へ導かれ、それらを一括して整然と配線するから、配線作業を容易かつ正確に行なえる。
そして、コンセント６０の使用時には、コンセント本体６１の回動角度を表面板６１ａの略幅相当に抑えているから、配線スペ−スのコンパクト化と配線の捩れを防止し、配線の安全性と使用上の安全性が向上する。
【００６０】
図１４乃至図２６は本発明の他の実施形態を示し、前述の実施形態の構成と対応する部分に同一の符号を用いている。
このうち、図１４乃至図２３は本発明のコンセントを取り付けたテ−ブルの第２の実施形態を示し、この実施形態は前述のメインテ−ブル１における架設枠１０や外装パネル１１を省略し、補強枠３,３の下方に同様な連結枠６９,６９を連結している。
前記連結枠６９,６９の両側部内面に、合成樹脂製のガイドレ−ル７０，７０が取り付けられ、該レ−ル７０，７０を介して、被収納物であるワゴン７１，７２をメインテ−ブル１の内部に吊り下げ可能に収納している。
【００６１】
前記ガイドレ−ル７０は図１９のように略Ｌ字形断面の枠体に成形され、その側枠７３に複数のビス孔７４を備え、該枠７３の内側にリフトカム７５を形成し、該リフトカム７５上に、ワゴン７１，７２に設けた移動手段としてのコロ７６，７７を走行可能に収容している。
【００６２】
前記リフトカム７５は、コロ７６，７７の転動面と略同高のロアカム部７８と、該カム７８より高位置でワゴン７１，７２を吊り上げ可能なアッパ−カム部７９と、それらの間に設けたストッパを兼備するテ−パカム部８０とを備え、該テ−パカム部８０の後部からアッパ−カム部７９の間で、ワゴン７１，７２を吊り上げ可能にしている。
図中、８１はリフトカム７５の奥部に設けたストッパで、前記コロ７６，７７と当接可能にされ、８２はビス孔７４に挿入したビスである。
【００６３】
前記ワゴン７１，７２は図２０および図２１のように、上部と一側方を開放した略箱形に形成され、その底板の下面にキャスタ−８３，８４を取り付け、また両側板７１ａ，７２ａの中高位置に、一対のコロ７６，７７を回転自在に支持している。図中、７１ｂ，７２ｂは両側板７１ａ，７２ａの後部に掛け渡した連結板である。
【００６４】
前記ワゴン７１，７２の幅は、メインテ−ブル１の脚４,４および５，５間より若干幅狭に形成され、またその高さは補強枠３より若干低く形成されていて、メインテ−ブル１の側方から出入り可能に構成されている。
図中、８５，８６はワゴン７１，７２の両側板の内部に突設した掛止ピンで、該ピン７１，７２に棚板８７，８８を斜状または水平に掛け止め可能にされ、その上に例えばプロジェクタ−１４や、ＡＶ機器、ファイル、書類等を収容可能にしている。
【００６５】
前記補助天板３１，３２の外周部内面に、前記ロック機構３３，３４と同一目的のロック機構８９，９０が設けられ、該機構８９，９０は前記ロック機構３３，３４と別の形態に構成されている。
前記ロック機構８９，９０は実質的に同一に構成され、これをロック機構９０によって説明すると、補助天板３２の外周部内面に、可動脚２８の回動域に臨ませて、ロックプレ−ト９１が取り付けられ、該プレ−ト９１の中央に円錐台形の係止部９２が下向きに突設されている。
前記係止部９２の中央にポケット孔９３が形成され、該孔９３の外側に半円弧状のガイド壁９４が突設され、その開放側を可動脚２８の回動域に臨ませて配置している。
【００６６】
前記可動脚２８の上端部にロックシリンダ９５が摺動可能に取り付けられ、該シリンダ９５の上端部が前記ガイド壁９４に係合可能に嵌合している。
前記ロックシリンダ９５の中高部内面に掛止リング９６が設けられ、該リング９６上に略円筒状のアジャスタ−９７が収容されている。
前記アジャスタ−９７は、その回動操作を介して高さ調整可能にされ、その上端面を前記係止部９２に係合可能にされ、補助天板３２の高さ調整とその安定した支持を可能にしている。この場合、アジャスタ−９７の周面にロ−レットを設けることが望ましい。
【００６７】
前記アジャスタ−９７の上端部に凹孔９８が形成され、該孔９８にロックボ−ル９９が係合かつ出没可能に収容されている。
前記ロックボ−ル９９と凹孔９８の底部との間にセットスプリング１００が介挿され、該スプリング１００の弾性を介してロックボ−ル９９を上方へ付勢し、前記ポケット孔９３に係合可能にしている。
前記アジャスタ−９７の下部に螺軸１０１が突設され、該螺軸１０１が可動脚２８の上端部にねじ込まれて、前記ロックシリンダ９５を取り付けている。
【００６８】
前記掛止リング９６と、可動脚２８の上端部との間にコイル状のロックスプリング１０２が介挿され、該スプリング１０２の弾性を介して、ロックシリンダ９５を上方へ付勢している。図中、１０３はロックシリンダ９５の下端に突設したフランジで、ロックシリンダ９５を引き下げ可能にしている。
【００６９】
このように前記第２の実施形態は、メインテ−ブル１が天板２と各一対の脚４,５と、補強枠３,３と、架設枠８，９と、連結枠６９,６９とで枠組されているだけの簡単な構成であるから、これを容易かつ安価に製作できる。
また、前記連結枠６９,６９の両側部内面にガイドレ−ル７０,７０を互いに対称に取り付ける。なお、天板２に対する補助天板３１，３２の折り畳み機構、可動脚２７,２８と支軸６７,６８との枢着機構およびその折り畳み機構は、前述の実施形態と実質的に同様である。
【００７０】
また、ワゴン７１，７２は略箱形に形成され、その両側板７１ａ，７２ａの中高位置に一対のコロ７６，７７を備え、内部にプロジェクタ−１４やＡＶ機器、ファイル、書類等を収容して、メインテ−ブル１と分離しキャスタ−８３，８４を介して床面７上を独自に移動可能である。
そして、例えばワゴン７１，７２の使用後、これを移動し収納する場合は、ワゴン７１，７２をメインテ−ブル１の側方に移動し、これを脚４,４間または５,５間に押し込む。
【００７１】
このようにすると、ワゴン７１，７２のコロ７６，７７がロアカム部７８上に移動し、更にテ−パカム部８０，８０を乗り越えアッパ−カム７９，７９へ移動させると、キャスタ−８３，８４が床面７から浮上し、ワゴン７１，７２が吊り上げられる。
その際、ロアカム部７８の先端部はテ−パ状に形成されているから、コロ７６，７７を円滑に誘導し得る。この状況は図１４および図１６，１７のようである。
【００７２】
この後、ワゴン７１，７２を同方向へ移動すると、前側のコロ７６，７７がストッパ８１に係合可能に位置し、後側のコロ７６，７７がテ−パカム部８０，８０に係合可能に位置して、ガイドレ−ル７０,７０からの脱落を阻止され、その吊り上げ状態を保持する。
【００７３】
このようなワゴン７１，７２の収納は、単にこれらを脚４,４間または５,５間に押し込むだけで良いから、これを容易かつ迅速に行なえ、また天板２の下方や脚４,４間または５,５間に障害物がないから、ワゴン７１，７２が円滑に移動し損傷することもない。
【００７４】
そして、ワゴン７１，７２の収納後、これらをメインテ−ブル１と一緒に移動し得るから、キャビネット下の収納スペ−スに単にワゴンを収納する従来のように、ワゴンをいちいち収納スペ−スから引き出してキャビネットを移動し、この後ワゴンを収納し直す面倒がなく、これを容易かつ迅速に行なえる。
また、その際、補助天板３１，３２を折り畳んで置けば、収納後のワゴン７１，７２を保護し得る。
【００７５】
次に、補助天板３１，３２の使用は実質的に同一で、これを補助天板３２について説明すると、蝶番３６，３６を中心に補助天板３２を上方へ回動し、その略直角回動位置、つまり水平状態を保持する。
そして、可動脚２８を保持し、これを支軸６８を中心に図１５上反時計方向へ回動し、その略直角回動前にフランジ１０３を介して、ロックシリンダ９５をロックスプリング１０２の弾性に抗して引き下げ、ロックシリンダ９５の上端部の高さを、ガイド壁９４の下端面以下に設定する。
この場合、ロックボ−ル９９はセットスプリング１００の弾性によって上方へ付勢され、その上端部がアジャスタ−９７から突出している。
【００７６】
そして、可動脚２８が略９０度近く回動し、ロックボ−ル９９が係止部９２に係合すると、ロックボ−ル９９がセットスプリング１００の弾性に抗して押し下げられる。
この状況の下で可動脚２８を同方向へ回動すると、ロックボ−ル９９が係止部９２上を滑動し、ポケット孔９３に移動したところで、ロックボ−ル９９がセットスプリング１００の弾性によってポケット孔９３に係合し、当該状態を保持する。
この後、ロックシリンダ９５を手放すと、ロックシリンダ９５がロックスプリング１０２の弾性によって押し上げられ、ガイド壁９４と係合可能に嵌合して、その移動を阻止され当該状態を保持する。
【００７７】
この後、ガイド壁９４の反対側から手指を差し込んでアジャスタ−９７を保持し、該アジャスタ−９７を回動して、その上端面を係止部９２に密着かつ係合させ、係止部９２を介して補助天板３２を安定して支持するとともに、補助天板３２の高さ調整を行なう。
したがって、例えば可動脚２８の下端のキャスタ−３０が、床面７の凹部に落ち込み、アジャスタ−９７と係止部９２との間にガタや隙間が形成されても、前記アジャスタ−９７の回動操作によって、補助天板３２を安定して支持し得る。
【００７８】
一方、補助天板３２の使用後、これを折り畳む場合は、補助天板３２を保持しながらフランジ１０３を保持して、ロックシリンダ９５を引き下げ、ガイド壁９８との係合を解除する。
このような状況の下で可動脚２８を折り畳み方向へ回動すると、ロックボ−ル９９がポケット孔９３の口縁部に係合し、これがセットスプリング１００の弾性に抗して押し下げられて、ポケット孔９３から抜け出る。
【００７９】
この後、可動脚２８を同方向へ回動すると、ロックボ−ル９９が係止部９２上を滑動し、ロックプレ−ト９１から離間したところで、ロックボ−ル９９がアジャスタ−９７から突出する。次いでロックシリンダ９５を手放し、これを原位置に復帰させるとともに、可動脚２８を補強枠３の外側に移動したところで、補助天板３２を下方へ折り畳む。
【００８０】
図２４乃至図２６は本発明の第３の実施形態を示し、この実施形態は前述のコンセント６０の代わりに、コンセント本体６１をドラム状に形成し、これをコンセント取付孔５９の直下に回動可能に取り付けている。
前記コンセント取付孔５９の開口部にコンセント取付枠１０４を取り付け、該取付枠１０４に横長矩形の通孔１０５を形成し、該通孔１０５にコンセント６０の各差込口６３ａ，６４ａを表出可能にしている。図中、１０６はコンセント本体６１の回転軸で、前記取付孔５９に設けたブラケット（図示略）に回動可能に支持されている。
なお、前述の実施形態は、コンセント６０をテ−ブルの天板２に取り付けているが、これに限らず建物の床面や壁面に取り付けることも可能である。
【産業上の利用可能性】
【００８１】
このように本発明のコンセントは、簡単な構成で容易かつ安価に製作できるとともに、小形軽量で設置スペ−スのコンパクト化を図れ、しかもコンセント本体の回動角度を抑制して、配線スペ−スのコンパクト化と配線の捩れを防止し、配線の安全性を向上できるから、例えば折り畳み可能なテ−ブル天板に載置したパソコン等ＯＡ機器の給電に好適である。
【図面の簡単な説明】
【００８２】
【図１】本発明のコンセントを取り付けた会議用テ−ブルの正面図である。
【図２】図１の平面図で、一方の補助天板を展開し、これを可動脚で支持するとともに、他方の補助天板を折り畳んでいる状況を示している。
【図３】図２の右側面図である。
【図４】本発明のコンセントを取り付けた会議用テ−ブルの平面図で、メインテ−ブルの両側に補助天板を展開し、これを可動脚で支持している状況を示している。
【００８３】
【図５】本発明のコンセントを取り付けた会議用テ−ブルに使用した補助天板のロック状態を示す底面図である。
【図６】本発明に適用したロック機構の要部を分解して示す斜視図である。
【図７】本発明に適用したロック機構のロック時の状況を外側から見た正面図である
【図８】図７の右側面図である。
【図９】本発明のコンセントの一例を示す断面図で、天板に出没可能に設けたコンセントの没入状態を示している。
【００８４】
【図１０】図９の平面図で、一部を実線で示している。
【図１１】図９の側面図で、コンセントの出没状態を示している。
【図１２】本発明のコンセントを取り付けたテーブルの使用状態を示す平面図で、一方の補助天板を折り畳んだ二台のテ−ブルを、天板を突き合わせて設置した状況を示している。
【図１３】本発明のコンセントを取り付けたテーブルの使用状態を示す平面図で、両方の補助天板を折り畳んだ二台のテ−ブルを、天板を突き合わせて設置した状況を示している。
【図１４】本発明のコンセントを取り付けたテーブルの第２の実施形態を示す正面図で、被収納物である二つのワゴンを吊り上げて収納している。
【００８５】
【図１５】図１４の平面図で、一方の補助天板を展開し、これを可動脚で支持するとともに、他方の補助天板を折り畳んでいる状況を示している。
【図１６】図１５の左側面図である。
【図１７】本発明のコンセントを取り付けたテーブルの使用状態を示す正面図で、被収納物であるワゴンの収納状況を示している。
【図１８】図１７におけるワゴンの収納状況を示す平面図で、一部を切り欠いて示している。
【図１９】前記第２の実施形態に適用したガイドレ−ルを拡大して示す斜視図である
【００８６】
【図２０】前記第２の実施形態に適用した一方のワゴンを拡大して示す正面図である
【図２１】前記第２の実施形態に適用した他方のワゴンを拡大して示す正面図である
【図２２】前記第２の実施形態に適用したロック機構のロック状況を示す断面図である。
【図２３】前記第２の実施形態のロック機構に適用したロックプレ−トの取り付け状態を示す底面図である。
【図２４】本発明の第３の実施形態を示す断面図で、別形態のコンセントの取り付け状況を示している。
【００８７】
【図２５】図２４の平面図で、通孔から各種のプラグ差し込み口が表出している。
【図２６】図２５の縦断面図である。
【符号の説明】
【００８８】
２                    所定部材（天板）
５９                    コンセント取付孔
６０                    コンセント
６１                    コンセント本体
６１ａ                  表面板
６１ｂ                  上面板
６３ａ                  プラグ差込口
６４ａ                  ピンプラグ差込口
６５                    コ−ドプ−ルスペ―ス
１０４                    コンセント取付枠
１０５                    通孔
【図１】
2006026429.tif 000003
【図２】
2006026429.tif 000004
【図３】
2006026429.tif 000005
【図４】
2006026429.tif 000006
【図５】
2006026429.tif 000007
【図６】
2006026429.tif 000008
【図７】
2006026429.tif 000009
【図８】
2006026429.tif 000010
【図９】
2006026429.tif 000011
【図１０】
2006026429.tif 000012
【図１１】
2006026429.tif 000013
【図１２】
2006026429.tif 000014
【図１３】
2006026429.tif 000015
【図１４】
2006026429.tif 000016
【図１５】
2006026429.tif 000017
【図１６】
2006026429.tif 000018
【図１７】
2006026429.tif 000019
【図１８】
2006026429.tif 000020
【図１９】
2006026429.tif 000021
【図２０】
2006026429.tif 000022
【図２１】
2006026429.tif 000023
【図２２】
2006026429.tif 000024
【図２３】
2006026429.tif 000025
【図２４】
2006026429.tif 000026
【図２５】
2006026429.tif 000027
【図２６】
2006026429.tif 000028